(57)【特許請求の範囲】
【請求項１】
複数の遊技用機能部材と複数の入賞口が設けられた遊技領域を備える遊技盤の背面側に配設され、
前記入賞口からの入賞球を案内する入賞球案内通路と、前記遊技盤に形成された開口部を通して前記遊技用機能部材を背面側から照明するための発光手段が取り付けられた発光手段取付基板と、を備えた入賞球案内部材であって、
前記発光手段取付基板を背面側から着脱可能に収納する発光手段取付基板収納部を備え、
前記発光手段取付基板収納部は、
背面及び側面に開口した基板着脱用兼配線引き出し用開口部が形成されて背面側が窪んだ形状になっていて、
側面側の奥壁部から背面側に起設した円筒状に形成され、前記発光手段取付基板を当該発光手段取付基板収納部に取り付け固定するための基板取り付けボスと、
前記奥壁部より内方で背面側に位置して前記基板取り付けボスと同一面を形成する上下の基板当接片と、
前記基板当接片より内方に位置する突き当たり壁と、
前記突き当たり壁から突出したカバー部材と、が一体的に形成され、
前記奥壁部と突き当たり壁との間に発光手段露出用開口部を形成し、
前記発光手段取付基板を前記基板着脱用兼配線引き出し用開口部より側方から前記上下の基板当接片に載せるとともに前記基板取り付けボスに載せて前記突き当たり壁に突き当てさせ、前記発光手段を前記発光手段露出用開口部から露出させた状態で前記発光手段取付基板を前記取り付けボスに取り付け固定し、当該発光手段取付基板の背面側に設けられた電極部を前記カバー部材で覆わせた状態で、前記発光手段取付基板を発光手段取付基板収納部に収納させてあることを特徴とする入賞球案内部材。
【請求項２】
複数の遊技用機能部材と複数の入賞口が設けられた遊技領域を備える遊技盤の背面側に配設され、
前記入賞口からの入賞球を案内する入賞球案内通路と、前記遊技盤に形成された開口部を通して前記遊技用機能部材を背面側から照明するための発光手段が取り付けられた発光手段取付基板と、を備えた入賞球案内部材であって、
前記発光手段取付基板を背面側から着脱可能に収納する発光手段取付基板収納部を備え、
前記発光手段取付基板収納部は、
背面及び側面に開口した基板着脱用兼配線引き出し用開口部が形成されて背面側が窪んだ形状になっていて、
側面側に形成された奥壁部より内方で背面側に形成される上下の基板当接片と、
前記基板当接片より背面側に形成された基板押さえ片と、
前記基板当接片より内方に位置する突き当たり壁と、
前記突き当たり壁の中央部から側面側に突出すると共に基板当接片と同一面を形成し、その先端部に背面側に折り返した形状の先端爪部を有した弾性係止爪と、
前記突き当たり壁から側面側に突出したカバー部材と、が一体的に形成され、
前記奥壁部と突き当たり壁との間に発光手段露出用開口部が形成され、
前記発光手段取付基板を前記基板着脱用兼配線引き出し用開口部より側方から前記上下の基板当接片と前記基板押さえ片との間に挟み込ませると共に、該発光手段取付基板に取り付けられた前記発光手段を前記発光手段露出用開口部から露出させ、前記発光手段取付基板を前記突き当たり壁に突き当てさせ、かつ、前記弾性係止爪の先端爪部の内側にはめ込ませて、当該発光手段取付基板の背面側に設けられた電極部を前記カバー部材で覆わせた状態にして、前記発光手段取付基板を前記発光手段取付基板収納部に収納させてあることを特徴とする入賞球案内部材。
【発明の詳細な説明】
【０００１】
【発明の属する技術分野】
本発明は、パチンコ遊技機に代表される弾球遊技機における入賞球案内部材、即ち、遊技盤の背面側に備えられて入賞球を案内する入賞球案内部材に関するものである。
【０００２】
【従来の技術】
弾球遊技機として代表的なパチンコ遊技機においては、遊技盤に複数の開口部を形成し、その開口部に役物装置等の各種構成部材を取り付けるようにしている。
このようにして遊技盤に取り付けられる構成部材としては、いわゆるセブン機タイプと呼ばれる第１種遊技機や羽根物タイプと呼ばれる第２種遊技機や権利物タイプと呼ばれる第３種遊技機における代表的なものとして、ソレノイドやモータ等の電気的可動装置の他、ランプやＬＥＤ（発光ダイオード）等の発光源やセンサ等を備えた特別変動入賞装置等の変動入賞装置がある。また、始動入賞口や一般入賞口等の入賞具や遊技領域に弾き出された遊技球に方向転換を行わせる風車や遊技領域の装飾を行う装飾部材があり、さらに、第１種遊技機や第３種遊技機や他種遊技機等で可変表示装置を備える場合に、その可変表示画面の周囲を装飾する装飾カバー等がある。
【０００３】
また、遊技盤の遊技領域に設けられた変動入賞装置や入賞具に入賞した入賞球を入賞球処理装置まで案内するために、遊技盤の背面側には、その広範囲を覆うようにして、樹脂一体成形により入賞球通路が形成された入賞球案内部材を備えて、入賞球の案内処理を行うようにしている。
そして、可変表示装置を備える場合には、入賞球案内部材における可変表示画面の装飾カバー部材の背面部に対応する部分に開口部を形成し、その開口部に対して背面側から、液晶表示器或いはＣＲＴ（ブラウン管）やその表示制御回路等から構成される可変表示装置を取り付けることにより、前面側から可変表示画面が視認できるようにしている。
なお、入賞球案内部材には、遊技盤に備えられる各種電気機器の背面側を覆ってしまう場合に、その電気機器からの配線を入賞球案内部材の背面側に伸ばすようにするため、配線用開口部が縁部等に形成されている。
【０００４】
さらに、入賞具や風車や装飾部材を背後から点滅等の点灯により照明するため、その照明用光源としてのランプを入賞球案内部材に取り付けて、このランプの点滅等の点灯によって、遊技盤に形成した開口部から入賞具や風車や装飾部材を照明するようにしたものがある。
具体的には、ランプを取り付けたランプ取付基板を、入賞球案内部材の正面にビス止めにより取り付けて、ユニット化していた。
【０００５】
【発明が解決しようとする課題】
しかし、ランプ取付基板を入賞球案内部材の正面に取り付けておくと、ランプの交換等のメンテナンスに際して、ランプ取付基板の取り外し・再取り付けが大変であり、また、光源用の配線を遊技盤の前面から背面側に回す必要がある。
さらに、入賞球案内部材の背面において、従来は、ランプ取付基板の電極部が露出していたため、例えば、遊技盤の背面上部の遊技球貯留タンクから遊技球が落下した場合、その落下した遊技球がランプ取付基板の電極部に当たって、ショートしてしまう心配が考えられる。
【０００６】
そこで、本発明の目的は、遊技盤背面に取り付けた状態で、発光手段取付基板の着脱を可能として、メンテナンス作業性を向上するとともに、発光手段取付基板を背面側から取り付けた状態で、遊技盤の背面上部から落下した遊技球による電極部のショートを防止できるようにした入賞球案内部材を提供することにある。
【０００７】
【課題を解決するための手段】
以上の課題を解決すべく請求項１に記載の発明は、複数の遊技用機能部材と複数の入賞口が設けられた遊技領域を備える遊技盤の背面側に配設され、前記入賞口からの入賞球を案内する入賞球案内通路と、前記遊技盤に形成された開口部を通して前記遊技用機能部材を背面側から照明するための発光手段が取り付けられた発光手段取付基板と、を備えた入賞球案内部材であって、前記発光手段取付基板を背面側から着脱可能に収納する発光手段取付基板収納部を備え、前記発光手段取付基板収納部は、背面及び側面に開口した基板着脱用兼配線引き出し用開口部が形成されて背面側が窪んだ形状になっていて、側面側の奥壁部から背面側に起設した円筒状に形成され、前記発光手段取付基板を当該発光手段取付基板収納部に取り付け固定するための基板取り付けボスと、前記奥壁部より内方で背面側に位置して前記基板取り付けボスと同一面を形成する上下の基板当接片と、前記基板当接片より内方に位置する突き当たり壁と、前記突き当たり壁から突出したカバー部材と、が一体的に形成され、前記奥壁部と突き当たり壁との間に発光手段露出用開口部を形成し、前記発光手段取付基板を前記基板着脱用兼配線引き出し用開口部より側方から前記上下の基板当接片に載せるとともに前記基板取り付けボスに載せて前記突き当たり壁に突き当てさせ、前記発光手段を前記発光手段露出用開口部から露出させた状態で前記発光手段取付基板を前記取り付けボスに取り付け固定し、当該発光手段取付基板の背面側に設けられた電極部を前記カバー部材で覆わせた状態で、前記発光手段取付基板を発光手段取付基板収納部に収納させてあることを特徴としている。
【０００８】
ここで、遊技領域とは、遊技球が弾き出される領域のことであり、遊技用機能部材としては、例えば、遊技球の方向を転換する風車や装飾部材等が挙げられる。そして、入賞口としては、一般入賞口の他、特別図柄表示装置や普通図柄表示装置の始動口を兼ねた入賞口に加えて、特別変動入賞装置の大入賞口や補助変動入賞装置の補助入賞口が挙げられ、このような入賞口に入った遊技球を入賞球という。さらに、以上のような入賞口からの入賞球を遊技盤の背面側で案内する入賞球案内通路を有する入賞球案内部材としては、透明樹脂製で下部入賞球案内部材とは分割された上部入賞球案内部材が挙げられるが、材質は何でも良く、また、下部入賞球案内部材であっても、全一体物の入賞球案内部材であっても良い。そして、発光手段としては、風車を照明するためのランプが挙げられるが、他の遊技用機能部材を照明するランプでも良く、また、ランプに限らず、他の照明用光源を用いても良い。さらに、発光手段取付基板としては、ランプ取付基板が挙げられるが、他の照明用光源取付基板であっても良く、また、基板に限らず、発光手段を取り付けておける基板であれば何でも良い。そして、収納部としては、例えば、入賞球案内部材の背面上部の左右に形成する凹室形状のものが挙げられるが、他の箇所でも良く、また、形状や大きさも任意である。
【０００９】
以上のように、請求項１に記載の発明によれば、発光手段取付基板を背面側から着脱可能に収納する発光手段取付基板収納部を備え、該発光手段取付基板収納部は、背面及び側面に開口した基板着脱用兼配線引き出し用開口部が形成されるとともに、側面側の奥壁部から背面側に起設した円筒状に形成され、前記発光手段取付基板を当該発光手段取付基板収納部に取り付け固定するための基板取り付けボスと、前記奥壁部より内方で背面側に位置して前記基板取り付けボスと同一面を形成する上下の基板当接片と、基板当接片より内方に位置する突き当たり壁と、突き当たり壁から突出したカバー部材と、が一体的に形成され、前記奥壁部と突き当たり壁との間に発光手段露出用開口部を形成し、前記発光手段取付基板を前記基板着脱用兼配線引き出し用開口部より側方から前記上下の基板当接片に載せるとともに前記基板取り付けボスに載せて前記突き当たり壁に突き当てさせ、前記発光手段を前記発光手段露出用開口部から露出させた状態で前記発光手段取付基板を前記取り付けボスに取り付け固定し、当該発光手段取付基板の背面側に設けられた電極部を前記カバー部材で覆わせた状態で、前記発光手段取付基板を発光手段取付基板収納部に収納させてあるので、先ず、背面側から発光手段取付基板が取付可能となって、入賞球案内部材を遊技盤背面に取り付けた状態で、発光手段取付基板の着脱が可能となる。従って、発光手段が切れた場合でも、発光手段取付基板の交換作業が容易に行えるため、メンテナンス作業性が向上し、また、発光手段用の配線を遊技盤の前面から背面側に回すための配線取り出しスペースを設ける必要もない。しかも、入賞球案内部材に設けた収納部に発光手段取付基板が背面側から収納して取り付けた状態となり、発光手段取付基板の電極部において、例えば、遊技盤の背面上部から落下した遊技球の接触によるショートの発生が防止可能となる。また、発光手段取付基板収納部は、背面及び側面に開口した基板着脱用兼配線引き出し用開口部が形成されて背面側が窪んだ形状になっているので、遊技盤背面側は球循環機構や遊技を制御する制御装置などがあって余分なスペースがない制限の下でも、発光手段取付基板の収納部を凹室部にすることにより、余分なスペースを採らずに済む。そして、発光手段取付基板収納部の前面側に窪んだ部分に発光手段取付基板が背面側から収納された状態となって、例えば、遊技盤の背面上部から落下した遊技球が発光手段取付基板の電極部に接触するのを回避して、電極部のショートを防止できる。
【００１０】
請求項２に記載の発明は、複数の遊技用機能部材と複数の入賞口が設けられた遊技領域を備える遊技盤の背面側に配設され、前記入賞口からの入賞球を案内する入賞球案内通路と、前記遊技盤に形成された開口部を通して前記遊技用機能部材を背面側から照明するための発光手段が取り付けられた発光手段取付基板と、を備えた入賞球案内部材であって、前記発光手段取付基板を背面側から着脱可能に収納する発光手段取付基板収納部を備え、前記発光手段取付基板収納部は、背面及び側面に開口した基板着脱用兼配線引き出し用開口部が形成されて背面側が窪んだ形状になっていて、側面側に形成された奥壁部より内方で背面側に形成される上下の基板当接片と、前記基板当接片より背面側に形成された基板押さえ片と、前記基板当接片より内方に位置する突き当たり壁と、前記突き当たり壁の中央部から側面側に突出すると共に基板当接片と同一面を形成し、その先端部に背面側に折り返した形状の先端爪部を有した弾性係止爪と、前記突き当たり壁から側面側に突出したカバー部材と、が一体的に形成され、前記奥壁部と突き当たり壁との間に発光手段露出用開口部が形成され、前記発光手段取付基板を前記基板着脱用兼配線引き出し用開口部より側方から前記上下の基板当接片と前記基板押さえ片との間に挟み込ませると共に、該発光手段取付基板に取り付けられた前記発光手段を前記発光手段露出用開口部から露出させ、前記発光手段取付基板を前記突き当たり壁に突き当てさせ、かつ、前記弾性係止爪の先端爪部の内側にはめ込ませて、当該発光手段取付基板の背面側に設けられた電極部を前記カバー部材で覆わせた状態にして、前記発光手段取付基板を前記発光手段取付基板収納部に収納させてあることを特徴としている。
【００１１】
請求項２に記載の発明によれば、発光手段取付基板を背面側から着脱可能に収納する発光手段取付基板収納部を備え、発光手段取付基板収納部は、背面及び側面に開口した基板着脱用兼配線引き出し用開口部が形成されて背面側が窪んだ形状になっていて、側面側に形成された奥壁部より内方で背面側に形成される上下の基板当接片と、基板当接片より背面側に形成された基板押さえ片と、基板当接片より内方に位置する突き当たり壁と、突き当たり壁の中央部から側面側に突出すると共に基板当接片と同一面を形成し、その先端部に背面側に折り返した形状の先端爪部を有した弾性係止爪と、突き当たり壁から側面側に突出したカバー部材と、が一体的に形成され、奥壁部と突き当たり壁との間に発光手段露出用開口部が形成され、発光手段取付基板を基板着脱用兼配線引き出し用開口部より側方から上下の基板当接片と基板押さえ片との間に挟み込ませると共に、該発光手段取付基板に取り付けられた発光手段を発光手段露出用開口部から露出させ、発光手段取付基板を突き当たり壁に突き当てさせ、かつ、弾性係止爪の先端爪部の内側にはめ込ませて、当該発光手段取付基板の背面側に設けられた電極部を前記カバー部材で覆わせた状態にして、当該発光手段取付基板を前記発光手段取付基板収納部に収納させてあるので、請求項１に記載の発明におけると同様に、先ず、背面側から発光手段取付基板が取付可能となって、入賞球案内部材を遊技盤背面に取り付けた状態で、発光手段取付基板の着脱が可能となる。従って、発光手段が切れた場合でも、発光手段取付基板の交換作業が容易に行えるため、メンテナンス作業性が向上し、また、発光手段用の配線を遊技盤の前面から背面側に回すための配線取り出しスペースを設ける必要もない。しかも、入賞球案内部材に設けた収納部に発光手段取付基板が背面側から収納して取り付けた状態となり、発光手段取付基板の電極部において、例えば、遊技盤の背面上部から落下した遊技球の接触によるショートの発生が防止可能となる。また、発光手段取付基板収納部は、背面及び側面に開口した基板着脱用兼配線引き出し用開口部が形成されて背面側が窪んだ形状になっているので、遊技盤背面側は球循環機構や遊技を制御する制御装置などがあって余分なスペースがない制限の下でも、発光手段取付基板の収納部を凹室部にすることにより、余分なスペースを採らずに済む。そして、発光手段取付基板収納部の前面側に窪んだ部分に発光手段取付基板が背面側から収納された状態となって、例えば、遊技盤の背面上部から落下した遊技球が発光手段取付基板の電極部に接触するのを回避して、電極部のショートを防止できる。特に、突き当たり壁の中央部から側面側に突出すると共に基板当接片と同一面を形成し、先端部には、背面側に折り返した形状の先端爪部を有した弾性係止爪が一体的に形成され、発光手段取付基板を基板着脱用兼配線引き出し用開口部より側方から上下の基板当接片と基板押さえ片との間に挟み込ませ、突き当たり壁に突き当てさせ、かつ、弾性係止爪の先端爪部の内側にはめ込ませて、当該発光手段取付基板の背面側に設けられた電極部をカバー部材で覆わせた状態にして、当該発光手段取付基板を発光手段取付基板収納部に収納させてあるので、弾性係止爪により発光体取付基板をワンタッチで簡単に着脱でき、請求項１に記載の発明のように、発光体取付基板に取付穴を設けて置く必要はない。
【００１８】
【発明の実施の形態】
以下に、本発明に係る入賞球案内部材の実施の各形態例を図１から図９に基づいて説明する。
【００１９】
＜第１の実施の形態例＞
先ず、図１は本発明を適用した弾球遊技機の一例としてのパチンコ遊技機の遊技盤表面の遊技領域の概略構成を示す正面図で、図２はそのパチンコ遊技機の遊技盤裏面の概略構成を示す背面図である。そして、図３は図１の遊技盤裏面から上部入賞球案内部材及び主可変表示装置等を取り外した状態を示す分解斜視図で、図４はその上部入賞球案内部材を前面側から見た拡大斜視図、図５は同じく上部入賞球案内部材の発光手段取付基板の収納状態を示した拡大斜視図、図６はその発光手段取付基板を取り外した収納部の構成を示す拡大斜視図である。
【００２０】
始めに、図１及び図２において、１は遊技盤、２は遊技領域、３はアウト穴、４は特別図柄表示部（主可変表示装置）、５は風車（遊技用機能部材）、６は一般入賞口、７は特別図柄始動口、８は普通図柄始動ゲート、９は一般入賞口、１０は変動入賞装置、１１はアタッカー（大入賞口）、１２はアタッカー扉、１３は特別図柄始動口（補助入賞口）、１４は開閉扉、１５はセンター装飾部材、１６は着色レンズ、１７は普通図柄表示部（補助可変表示装置）、１８は普通図柄始動記憶表示部、１９は特別図柄始動記憶表示部、２０は下部入賞球案内部材、２１は上部入賞球案内部材、２２は中継基板、２３はランプ取付基板（発光手段取付基板）、２４はランプ（発光手段）である。即ち、このパチンコ遊技機は、図１に示すように、遊技盤１の遊技領域２に、最下部のアウト穴３と、上部寄り中央部の主可変表示装置である液晶表示画面等による特別図柄表示部４と、その上部左右の遊技用機能部材としての風車５、５と、その下方の一般入賞口６、６と、特別図柄表示部４の下部中央の特別図柄始動口７と、その左右の普通図柄始動ゲート８、８と、さらにその側方に離れた一般入賞口９、９と、下部の変動入賞装置１０等を備えている。
【００２１】
なお、変動入賞装置１０は、特別変動入賞装置及び補助変動入賞装置等をユニット化したもので、中央部に特別変動入賞装置の横長形状の大入賞口であるアタッカー１１及びそのアタッカー扉１２を有するとともに、その中央部直下に接近してアタッカー（大入賞口）１１に次ぐ補助変動入賞装置の補助入賞口としての特別図柄始動口１３及びその開閉扉１４を有している。
また、特別図柄表示部４の周囲にはセンター装飾部材１５が設けられており、このセンター装飾部材１５の特別図柄表示部４の上方部は着色レンズ１６となっている。
この着色レンズ１６の部分には、その中央上部に補助可変表示装置である普通図柄表示部１７が表示されるとともに、その左右に上下２個ずつで計４個の普通図柄始動記憶表示部１８、１８、１８、１８が表示され、また、中央下部に左右方向に並ぶ４個の特別図柄始動記憶表示部１９、１９、１９、１９が表示されるようになっている。
ここで、図４に拡大して示されるように、普通図柄表示部１７は、ＬＥＤの７セグメントによるものであり、普通図柄始動記憶表示部１８、１８、１８、１８及び特別図柄始動記憶表示部１９、１９、１９、１９は、各々の着色ランプの点灯によるものである。
【００２２】
また、遊技盤１の裏面側には、図２に示すように、前述の如くユニット化した変動入賞装置１０の背面側突出部を覆う部分を有する下部入賞球案内部材２０と、その上方に連続して主可変表示装置（特別図柄表示部）４の背面側突出部を露出させる上部入賞球案内部材２１とが取り付けられている。なお、主可変表示装置４の背面部には、中継基板２２が取り付けられている。そして、上部入賞球案内部材２１の上部左右には、発光手段取付基板としてのランプ取付基板２３、２３がそれぞれ取り付けられており、これら左右のランプ取付基板２３、２３の各々には、発光手段として、上下２個ずつのランプ２４、２４がそれぞれ取り付けられている。この上下２個のランプ２４、２４は、前述した風車５の背面側に位置する装飾用光源である。
【００２３】
次に、上部入賞球案内部材２１の構成について、図３から図６に基づいて詳細に説明する。
即ち、上部入賞球案内部材２１は、透明樹脂製で、図３及び図４に示すように、主可変表示装置（特別図柄表示部）４用の中央開口部２５を有して、左右両側縁に前面から突出する円形の位置決め凸部２６、２６を有するとともに、上縁部も含んで取付穴２７、２７、２７、・・・を有している。
なお、遊技盤１の裏面には、図３に示すように、左右の位置決め凸部２６、２６に各々対応する位置決め凹部２８、２８が形成されて、左右の前記一般入賞口６、６が開口するとともに、左右の前記風車５、５の位置に各々対応する小開口部２９、２９と前記センター装飾部材１５を組み込むための中央開口部３０等が形成されている。また、中央開口部３０の上部に天の一般入賞口３１が設けられている。
【００２４】
そして、上部入賞球案内部材２１の前面側には、図４に示すように、中央開口部２５の上方中央部から一側方にかけて前記天の一般入賞口３１からの入賞球案内通路３２と、中央開口部２５の左右から下方に向かって前記一般入賞口６、６からの下方に開口する入賞球案内通路３３、３３等が形成されており、その一方の入賞球案内通路３３に入賞球案内通路３２が連続している。この連続部が入賞球検出センサ取付部３４となっている。
なお、上部入賞球案内部材２１の中央開口部２５の上方部前面には、前記着色レンズ１６に対応する基板３５が取り付けられている。この基板３５には、ＬＥＤの７セグメントによる前記普通図柄表示部１７、着色ランプによる普通図柄始動記憶表示部１８、１８、１８、１８及び特別図柄始動記憶表示部１９、１９、１９、１９に加えて、その他の装飾用ランプ３６、３６、３６、・・・、３７等が取り付けられている。
【００２５】
また、上部入賞球案内部材２１の背面側には、図３に示すように、中央開口部２５の両側方部に、上下２本ずつで計４本の表示装置取付ボス３８、３８、３８、３８が起設されていて、中央開口部２５の上方部と側方部の片側には、配線支持片３９、３９、３９、３９が形成されている。
以上の上部入賞球案内部材２１は、図３に示したように、その左右の位置決め凸部２６、２６を遊技盤１裏面の位置決め凹部２８、２８にそれぞれ合わせて、取付穴２７、２７、２７、・・・で遊技盤１裏面にビス止めして固定する。
そして、この上部入賞球案内部材２１には、背面側から表示装置取付ボス３８、３８、３８、３８に、図２に示したように、主可変表示装置（特別図柄表示部）４の左右両側部から突出した取付片４０、４０をビス止めして固定する。
【００２６】
以上の上部入賞球案内部材２１において、その上部左右には、さらに、発光手段取付基板収納部４１、４１が対称的にそれぞれ形成されている。即ち、この発光手段取付基板収納部４１は、図６に拡大して示すように、前面側へ窪んだ形状の凹室部４２により形成されており、この凹室部４２には、側面側の奥壁部４３から背面側に起設した円筒状の基板取付ボス４４と、奥壁部４３より内方で背面側に位置して基板取付ボス４４と同一面を形成する上下の基板当接片４５、４５と、突き当たり壁４６とが一体成形により設けられている。そして、以上の発光手段取付基板収納部４１としての凹室部４２の奥壁部４３と突き当たり壁４６との間が、前面側への発光手段露出用開口部４７となっていて、凹室部４２の背面及び側面の開放された部分が基板着脱用兼配線引き出し用開口部４８となっている。さらに、この基板着脱用兼配線引き出し用開口部４８には、突き当たり壁４６から突出する上下のカバー部材４９、４９が一体成形により設けられている。
【００２７】
以上の発光手段取付基板収納部４１にランプ取付基板２３を取り付ける場合は、凹室部４２に対し、基板着脱用兼配線引き出し用開口部４８より側方からランプ取付基板２３を上下の基板当接片４５、４５に載せて突き当たり壁４６に突き当てるとともに、ランプ取付基板２３に取り付けられた上下２個のランプ２４、２４を発光手段露出用開口部４７に差し込んで、ランプ取付基板２３の取付穴（図示せず）周囲を基板取付ボス４４に載せる。そして、図５に示したように、ワンタッチ止め具５０をランプ取付基板２３の取付穴から基板取付ボス４４の円筒状内部穴に差し込んで固定する。このワンタッチ止め具５０は、弾性を有する樹脂材により形成されていて弾性変形可能な膨大部を有するもので、その膨大部が基板取付ボス４４の円筒状内部に密着して差し込まれた状態となることによって、固定状態となる。なお、このワンタッチ止め具５０を引き抜く場合は、ある程度強い力をもって頭部を引っ張ることにより引き抜ける。
【００２８】
こうして上部入賞球案内部材２１の上部左右の対称的な発光手段取付基板収納部４１、４１（凹室部４２、４２）にランプ取付基板２３、２３をそれぞれ収納した状態において、ランプ取付基板２３の背面側に設けられ、ランプ２４、２４に各々対応する正負対の電極部５１、５２、５１、５２は、その背後からカバー部材４９、４９によってそれぞれ覆われた状態となっている。このような正負対の電極部５１、５２、５１、５２が連続する正負の印刷パターンの端子部に対応してランプ取付基板２３に設けたコネクタ５９に配線５３が接続されており、この配線５３を、図示のように、基板着脱用兼配線引き出し用開口部４８から背後に引き出して配線支持片３９、３９、３９、３９に掛け、その端末部のコネクタを中継基板２２に接続する。
【００２９】
なお、前記普通図柄表示部１７、普通図柄始動記憶表示部１８、１８、１８、１８及び特別図柄始動記憶表示部１９、１９、１９、１９、その他の装飾用ランプ３６、３６、３６、・・・、３７等を取り付けた前記基板３５から伸びた配線５４も同様に、配線支持片３９、３９、３９に掛けて、その端末部のコネクタを中継基板２２に接続する。このように、上部入賞球案内部材２１にランプ取付基板２３及び他の基板３５をユニット化して、配線５３、５４の取り回しまで行えるので、組立作業能率が向上する。以上によって、図１に示したように、パチンコ遊技機の遊技盤１の遊技領域２に設けられた風車５、５は、遊技盤１の裏面側に取り付けた入賞球案内部材２１の発光手段取付基板収納部４１、４１にそれぞれ収納したランプ取付基板２３、２３の各２個のランプ２４、２４、・・・の発光によって、遊技盤１の小開口部２９、２９を各々通って背後からそれぞれ照明される。
【００３０】
以上において、上部入賞球案内部材２１には、背面側からランプ取付基板２３が取付可能となるため、上部入賞球案内部材２１を遊技盤１の背面に取り付けた状態で、ランプ取付基板２３の取り外しが可能となり、ランプ２４が切れた場合でも、ランプ取付基板２３の交換作業が容易に行える。
従って、メンテナンス作業性を向上でき、また、従来のようなランプ用の配線を遊技盤の前面から背面側に回すための配線取り出しスペースを設ける必要がない。
ところで、周知のように、遊技盤１の背面側には、図示しない球循環機構や遊技を制御する制御装置などがあって余分なスペースがないが、そのような制限の下でも、ランプ取付基板２３の収納部４１を凹室部４２としたことにより、余分なスペースを採らずに済むものとなる。
【００３１】
そして、周知のように、遊技盤１の背面上方部に設けられる図示しない遊技球貯留タンクから遊技球が落下した場合でも、遊技盤１の背面に固定した上部入賞球案内部材２１に背面側から取り付けたランプ取付基板２３において、その電極部がショートするようなことはない。即ち、上部入賞球案内部材２１の上部左右に対称的に設けた発光手段取付基板収納部４１（凹室部４２）に収納状態のランプ取付基板２３の電極部５１、５２、５１、５２が背後のカバー部材４９、４９によって覆われているため、上方から落下した遊技球は、カバー部材４９、４９により邪魔されて、発光手段取付基板収納部４１（凹室部４２）に入るのを阻止される。従って、ランプ２４に対応した正負対の電極部５１、５２の間に落下球が接触するようなことがなくなるため、ショートする心配はないものとなる。また、ワンタッチ止め具５０の採用によりランプ取付基板２３の着脱が簡単に行え、従来のようなビス止めが不要となるため、メンテナンス作業の面でも優れている。
【００３２】
＜第２の実施の形態例＞
図７は第２の実施の形態例に係る発光手段取付基板（ランプ取付基板）２３の収納状態を示すもので、前述した第１の実施の形態例における前記図５と同様の拡大斜視図であり、図８は図７のランプ取付基板２３を取り外した収納部の構成を示す拡大斜視図である。この第２の実施の形態例では、前記上部入賞球案内部材２１の発光手段取付基板収納部４１の凹室部４２において、前記基板取付ボス４４に代えて、図８に示すように、弾性係止爪５５を設けておき、この弾性係止爪５５によりランプ取付基板２３をワンタッチで着脱自在としている。
【００３３】
即ち、凹室部４２には、図示のように、前述した第１の実施の形態例における奥壁部４３及び基板取付ボス４４を無くして、第１の実施の形態例と同様の上下の基板当接片４５、４５、突き当たり壁４６、基板着脱用兼配線引き出し用開口部４８及び上下のカバー部材４９、４９を形成するとともに、基板当接片４５、４５の後方に基板押さえ片１４５、１４５を形成している。
さらに、全面が開放された発光手段露出用開口部４７を形成して、この発光手段露出用開口部４７を横切るように突き当たり壁４６の中央部から突出した弾性係止爪５５を設けている。
この弾性係止爪５５は、上下の基板当接片４５、４５と同一面を形成するもので、その先端部は背面側に折り返した形状による先端爪部５６を有している。
この先端爪部５６と突き当たり壁４６との間隔は、ランプ取付基板４１の左右幅よりも若干小さい寸法に設定しておく。
なお、ランプ取付基板４１には、前述した第１の実施の形態例におけるような取付穴を設けておく必要はない。
【００３４】
以上の弾性係止爪５５を有する発光手段取付基板収納部４１にランプ取付基板２３を取り付ける場合は、凹室部４２に対し、基板着脱用兼配線引き出し用開口部４８より側方からランプ取付基板２３を、上下の基板当接片４５、４５及びその中央部の弾性係止爪５５に載せて突き当たり壁４６に突き当てるとともに、基板押さえ片１４５、１４５の前側に差し込んで、上下２個のランプ２４、２４を発光手段露出用開口部４７に差し込む。そして、突き当たり壁４６に突き当てた状態のランプ取付基板２３を、図７に示したように、弾性係止爪５５の背面側に折り返した形状の先端爪部５６の内側に填め込む。これにより、ランプ取付基板２３は、凹室部４２に収納して、上下の基板当接片４５、４５及びその後方の基板押さえ片１４５、１４５の間に挟み込まれるとともに、突き当たり壁４６と弾性係止爪５５の先端爪部５６との間に保持された取付状態となる。なお、弾性係止爪５５の先端爪部５６に外側に開く力を付与すると、ランプ取付基板２３が取り外せる。
【００３５】
このような弾性係止爪５５によっても、前述した第１の実施の形態例と同様に、ランプ取付基板２３をワンタッチにより簡単に着脱することができる。そして、以上のような第２の実施の形態例の発光手段取付基板収納部４１（凹室部４２）の構成によっても、弾性係止爪５５を用いた他は前述した第１の実施の形態例と同様のため、第１の実施の形態例と同様の作用効果が得られることは勿論である。
【００３６】
＜変形例＞
図９は変形例に係る発光手段取付基板（ランプ取付基板）２３を示す拡大斜視図である。この変形例では、図示のように、ランプ取付基板２３のランプ２４、２４及び電極部５１、５２、５１、５２と反対側に、中央部の切欠部５７を形成している。この切欠部５７は、前述した第１の実施の形態例におけるような取付穴に代えて設けたり、または、前述した第２の実施の形態例におけるランプ取付基板２３（前記図７参照）に設けたりするものである。
【００３７】
即ち、前述した第１の実施の形態例における取付穴に代えて、ランプ取付基板２３に、図示のような中央部の切欠部５７を設けた場合、前述したワンタッチ止め具５０をランプ取付基板２３の切欠部５７から基板取付ボス４４の円筒状内部穴に差し込んで固定できる。
また、前述した第２の実施の形態例におけるランプ取付基板２３（前記図７参照）に、図示のような中央部の切欠部５７を設けた場合、前述した弾性係止片５５を短いものに変更して、その短くした弾性係止片５５の先端爪部５６をランプ取付基板２３の中央部の切欠部５７に填め込んで、ランプ取付基板２３を突き当たり壁４６との間に固定できる。
このような切欠部５７を有するランプ取付基板２３を採用しても良い。
【００３８】
なお、以上の実施の各形態例においては、弾球遊技機としてパチンコ遊技機としたが、本発明はこれに限定されるものではなく、他の弾球遊技機であっても良い。
また、実施の形態例では、風車を照明するランプとしたが、他の遊技用機能部材を照明するランプや他の光源としての発光部材であっても良い。
さらに、入賞球案内部材の具体的構成についても任意であり、その他、具体的な細部構造等についても適宜に変更可能であることは勿論である。
【００３９】
【発明の効果】
以上のように、請求項１及び２に記載の発明に係る入賞球案内部材によれば、先ず、背面側から発光手段取付基板が取付可能となって、入賞球案内部材を遊技盤背面に取り付けた状態で、発光手段取付基板の着脱が可能となるため、発光手段が切れた場合でも、発光手段取付基板の交換作業が容易に行えることによって、メンテナンス作業性の向上を達成することができ、また、発光手段用の配線を遊技盤の前面から背面側に回すための配線取り出しスペースを設ける必要がないといった利点も発揮することができる。しかも、入賞球案内部材に設けた収納部に発光手段取付基板が背面側から取付状態となるため、発光手段取付基板の電極部において、例えば、遊技盤の背面上部から落下した遊技球によるショート発生を防止可能とすることができる。
【００４０】
そして、遊技盤背面側は球循環機構や遊技を制御する制御装置などがあって余分なスペースがない制限の下でも、発光手段取付基板収納部は、背面及び側面に開口した基板着脱用兼配線引き出し用開口部が形成されて背面側が窪んだ形状になっているので、余分なスペースを採らずに済むといった利点を発揮することができる。そして、発光手段取付基板収納部の前面側に窪んだ部分に発光手段取付基板が背面側から収納状態となるため、例えば、遊技盤の背面上部から落下した遊技球による発光手段取付基板の電極部のショートを防止することができる。
【００４１】
また、請求項２に記載の発明によれば、特に、突き当たり壁の中央部から側面側に突出すると共に基板当接片と同一面を形成し、先端部には、背面側に折り返した形状の先端爪部を有した弾性係止爪が一体的に形成され、発光手段取付基板を基板着脱用兼配線引き出し用開口部より側方から上下の基板当接片と基板押さえ片との間に挟み込ませ、突き当たり壁に突き当てさせ、かつ、弾性係止爪の先端爪部の内側にはめ込ませて、当該発光手段取付基板の背面側に設けられた電極部をカバー部材で覆わせた状態にして、当該発光手段取付基板を発光手段取付基板収納部に収納させてあるので、弾性係止爪により発光体取付基板をワンタッチで簡単に着脱でき、請求項１に記載の発明のように、発光体取付基板に取付穴を設けて置く必要はない。
【図面の簡単な説明】
【図１】本発明を適用した弾球遊技機の一例としてのパチンコ遊技機の遊技盤表面の遊技領域の概略構成を示す正面図である。
【図２】図１のパチンコ遊技機の遊技盤裏面の概略構成を示す背面図である。
【図３】図１の遊技盤裏面から上部入賞球案内部材及び主可変表示装置等を取り外した状態を示す分解斜視図である。
【図４】図３の上部入賞球案内部材を前面側から見た拡大斜視図である。
【図５】図４の上部入賞球案内部材の発光手段取付基板の収納状態を示した拡大斜視図である。
【図６】図５の発光手段取付基板を取り外した収納部の構成を示す拡大斜視図である。
【図７】第２の実施の形態例に係る発光手段取付基板の収納状態を示すもので、図５と同様の拡大斜視図である。
【図８】図７の発光手段取付基板を取り外した収納部の構成を示す拡大斜視図である。
【図９】変形例に係る発光手段取付基板を示す拡大斜視図である。
【符号の説明】
１   遊技盤
２   遊技領域
５   遊技用機能部材
６、９、３１  入賞口
７   特別図柄始動口
１３   特別図柄始動口（補助入賞口）
２１   入賞球案内部材
２３   発光手段取付基板
２４   発光手段
２５   中央開口部
２９   小開口部
３２、３３   入賞球案内通路
４１   発光手段取付基板収納部
４２   凹室部
４４   基板取付ボス
４５   基板当接片
４７   発光手段露出用開口部
４８   基板着脱用兼配線引き出し用開口部
４９   カバー部材
５０   ワンタッチ止め具
５１、５２   電極部
５３   配線
５５   弾性係止爪
５６   先端爪部
５７   切欠部
５９   コネクタ
【図１】
0003943646.tif 000002
【図２】
0003943646.tif 000003
【図３】
0003943646.tif 000004
【図４】
0003943646.tif 000005
【図５】
0003943646.tif 000006
【図６】
0003943646.tif 000007
【図７】
0003943646.tif 000008
【図８】
0003943646.tif 000009
【図９】
0003943646.tif 000010